(57)【特許請求の範囲】
【請求項１】
複数の全体画像それぞれに対して操作者の指示に基づいて一部領域を指定する指定手段と、
前記指定手段で指定した一部領域に関連付けて操作者の指示に基づいて所定の文字データを入力する入力手段と、
全体画像と該全体画像に含まれる一部領域に関連付けられた文字データとから成る出力画像を形成する画像形成手段と、
を有する画像形成装置において、
前記文字データの閲覧回数、前記文字データの閲覧時間の累計、或いは、前記文字データの総数から成る抽出条件を操作者の指示に基づいて選択する選択手段と、
前記選択手段により選択された抽出条件で前記全体画像の抽出を行う抽出手段と、
を有し、前記画像形成手段は、前記抽出手段により抽出された全体画像と、該全体画像に含まれる一部領域に関連付けられた文字データと、から成る出力画像を形成することを特徴とする画像形成装置。
【請求項２】
複数の全体画像それぞれに対して操作者の指示に基づいて一部領域を指定する指定手段と、
前記指定手段で指定した一部領域に関連付けて操作者の指示に基づいて所定の文字データを入力する入力手段と、
全体画像と該全体画像に含まれる一部領域に関連付けられた文字データとから成る出力画像を形成する画像形成手段と、
を有する画像形成装置において、
操作者の指示に基づいて複数の全体画像から一つの全体画像を特定する特定手段と、
前記特定手段により特定された全体画像に含まれる一部領域に関連付けられた前記文字データに関する所定の抽出条件を操作者の指示に基づいて選択する選択手段と、
前記特定手段により特定された全体画像に含まれる一部領域に関連付けられた文字データから、前記選択手段により選択された抽出条件で前記文字データの抽出を行う抽出手段と、
を有し、前記画像形成手段は、前記特定の全体画像と、前記抽出手段により抽出された文字データと、から成る出力画像を形成することを特徴とする画像形成装置。
【請求項３】
前記抽出条件は、前記文字データの閲覧回数、或いは、前記文字データの閲覧時間の累計から成ることを特徴とする請求項２に記載の画像形成装置。
【請求項４】
複数の全体画像それぞれに対して操作者の指示に基づいて一部領域を指定する指定ステップと、
前記指定ステップで指定した一部領域に関連付けて操作者の指示に基づいて所定の文字データを入力する入力ステップと、
前記文字データの閲覧回数、前記文字データの閲覧時間の累計、或いは、前記文字データの総数から成る抽出条件を操作者の指示に基づいて選択する選択ステップと、
前記選択ステップで選択された抽出条件で前記全体画像を抽出する抽出ステップと、
前記抽出ステップにより抽出された全体画像と、該全体画像に含まれる一部領域に関連付けられた文字データと、から成る出力画像を形成する画像形成ステップと、
をコンピュータに実行させることを特徴とする画像形成プログラム。
【請求項５】
複数の全体画像それぞれに対して操作者の指示に基づいて一部領域を指定する指定ステップと、
前記指定ステップで指定した一部領域に関連付けて操作者の指示に基づいて所定の文字データを入力する入力ステップと、
操作者の指示に基づいて複数の全体画像から一つの全体画像を特定する特定ステップと、
前記特定ステップで特定された全体画像に含まれる一部領域に関連付けられた前記文字データに関する所定の抽出条件を操作者の指示に基づいて選択する選択ステップと、
前記特定ステップで特定された全体画像に含まれる一部領域に関連付けられた文字データから、前記選択ステップで選択された抽出条件で前記文字データを抽出させる抽出ステップと、
前記特定の全体画像と、前記抽出ステップで抽出された文字データと、から成る出力画像を形成させる画像形成ステップと、
をコンピュータに実行させることを特徴とする画像形成プログラム。
【請求項６】
前記抽出条件は、前記文字データの閲覧回数、或いは、前記文字データの閲覧時間の累計から成ることを特徴とする請求項５に記載の画像形成プログラム。
【発明の詳細な説明】
【０００１】
【発明の属する技術分野】
本発明は、コンピュータにより画像を形成する画像形成プログラム及び画像形成装置に関し、特に、画像と文字データとを同時に形成する画像形成プログラム及び画像形成装置に関する。
【０００２】
【従来の技術】
近年、デジタルカメラの普及により撮影した画像を整理するための画像データベースの利用が拡大してきている。これらの画像データベースはコンピュータにインストールされた画像形成プログラムにより検索や閲覧が行えるようになっている。そして、画像を整理する際には各画像に対応するコメントを入力し、各画像と各画像に対応するコメントとを同時に表示画面に表示して閲覧できるようになっている。
【０００３】
また、インターネットによりアクセス可能なサーバー上に画像データを配してどこからでも画像を閲覧できるサイト（以下、「Ｗｅｂ Ｐｈｏｔｏ サイト」という）が多く開設されている。この場合には、上記の画像形成プログラムはサーバー上に配され、各ユーザーはＷｅｂ Ｐｈｏｔｏ サイトにアクセスすることによって画像データベースを操作できる。
【０００４】
これらのＷｅｂ Ｐｈｏｔｏ サイトでは、不特定の者が画像を閲覧して各画像に対するコメントを送信することができる。そして、各画像と各画像に対応した複数の者によるコメントとを同時に表示画面に表示して閲覧できるようになっている。
【０００５】
【発明が解決しようとする課題】
しかしながら、上記の従来の画像形成プログラムは、各画像に対するコメントを付加できるが、表示画面や印刷媒体に出力画像を出力する際に多くのコメントが付加されるため重要なコメントの判別が困難になる。また、コメントが付加されない画像も表示されるため無駄な閲覧を強いられる。更に、多くのコメントが掲示されると画像のどの部分に対するコメントであるかがわかりにくくなる。これらにより、ユーザーの使用勝手が悪い問題があった。
【０００６】
本発明は、ユーザーの使用勝手を向上することのできる画像形成プログラム及び画像形成装置を提供することを目的とする。
【０００７】
【課題を解決するための手段】
上記目的を達成するために本発明の画像形成装置は、
複数の全体画像それぞれに対して操作者の指示に基づいて一部領域を指定する指定手段と、
前記指定手段で指定した一部領域に関連付けて操作者の指示に基づいて所定の文字データを入力する入力手段と、
全体画像と該全体画像に含まれる一部領域に関連付けられた文字データとから成る出力画像を形成する画像形成手段と、
を有する画像形成装置において、
前記文字データの閲覧回数、前記文字データの閲覧時間の累計、或いは、前記文字データの総数から成る抽出条件を操作者の指示に基づいて選択する選択手段と、
前記選択手段により選択された抽出条件で前記全体画像の抽出を行う抽出手段と、
を有し、前記画像形成手段は、前記抽出手段により抽出された全体画像と、該全体画像に含まれる一部領域に関連付けられた文字データと、から成る出力画像を形成することを特徴とする画像形成装置。
【０００８】
この構成によると、画像データには全体画像のデータと、一部領域の範囲を示すデータと、一部領域内の画像に対するコメント（文字データ）とが含まれる。所定の操作により一部領域を含む全体画像と文字データとから成る出力画像が表示装置や印刷媒体に出力される。この時、出力画像は複数の全体画像から所定の抽出条件により抽出された一部の全体画像と、該全体画像に含まれた一部領域内の画像に関連付けられた文字データとから成る。
【０００９】
また、例えば、指定領域内の画像を含む全体画像に対応した全文字データの閲覧回数の総数が、多い順から指定した数の全体画像が抽出される。
【００１０】
また本発明の画像形成装置は、
複数の全体画像それぞれに対して操作者の指示に基づいて一部領域を指定する指定手段と、
前記指定手段で指定した一部領域に関連付けて操作者の指示に基づいて所定の文字データを入力する入力手段と、
全体画像と該全体画像に含まれる一部領域に関連付けられた文字データとから成る出力画像を形成する画像形成手段と、
を有する画像形成装置において、
操作者の指示に基づいて複数の全体画像から一つの全体画像を特定する特定手段と、
前記特定手段により特定された全体画像に含まれる一部領域に関連付けられた前記文字データに関する所定の抽出条件を操作者の指示に基づいて選択する選択手段と、
前記特定手段により特定された全体画像に含まれる一部領域に関連付けられた文字データから、前記選択手段により選択された抽出条件で前記文字データの抽出を行う抽出手段と、
を有し、前記画像形成手段は、前記特定の全体画像と、前記抽出手段により抽出された文字データと、から成る出力画像を形成することを特徴とする画像形成装置。
【００１１】
この構成によると、画像データには全体画像のデータと、一部領域の範囲を示すデータと、一部領域内の画像に対するコメント（文字データ）とが含まれる。所定の操作により一部領域を含む全体画像と文字データとから成る出力画像が表示装置や印刷媒体に出力される。この時、出力画像は複数の文字データから所定の抽出条件により抽出された一部の文字データと、該文字データに関連付けられた一部領域内の画像を含む全体画像とから成る。
【００１２】
また本発明は、上記構成の画像形成装置において、前記抽出条件は、前記文字データの閲覧回数、或いは、前記文字データの閲覧時間の累計から成ることを特徴としている。この構成によると、例えば、閲覧回数が多い順から指定した数の文字データが抽出される。
【００１３】
また本発明の画像形成プログラムは、
複数の全体画像それぞれに対して操作者の指示に基づいて一部領域を指定する指定ステップと、
前記指定ステップで指定した一部領域に関連付けて操作者の指示に基づいて所定の文字データを入力する入力ステップと、
前記文字データの閲覧回数、前記文字データの閲覧時間の累計、或いは、前記文字データの総数から成る抽出条件を操作者の指示に基づいて選択する選択ステップと、
前記選択ステップで選択された抽出条件で前記全体画像を抽出する抽出ステップと、
前記抽出ステップにより抽出された全体画像と、該全体画像に含まれる一部領域に関連付けられた文字データと、から成る出力画像を形成する画像形成ステップと、
をコンピュータに実行させることを特徴としている。
また本発明の画像形成プログラムは、
複数の全体画像それぞれに対して操作者の指示に基づいて一部領域を指定する指定ステップと、
前記指定ステップで指定した一部領域に関連付けて操作者の指示に基づいて所定の文字データを入力する入力ステップと、
操作者の指示に基づいて複数の全体画像から一つの全体画像を特定する特定ステップと、
前記特定ステップで特定された全体画像に含まれる一部領域に関連付けられた前記文字データに関する所定の抽出条件を操作者の指示に基づいて選択する選択ステップと、
前記特定ステップで特定された全体画像に含まれる一部領域に関連付けられた文字データから、前記選択ステップで選択された抽出条件で前記文字データを抽出させる抽出ステップと、
前記特定の全体画像と、前記抽出ステップで抽出された文字データと、から成る出力画像を形成させる画像形成ステップと、
をコンピュータに実行させることを特徴としている。
【００１４】
【発明の実施の形態】
以下に本発明の実施形態を図面を参照して説明する。図１〜図６は第１実施形態の画像形成プログラムの動作を示すフローチャートである。本実施形態の画像形成プログラムは、インターネットサーバーに設けられている。サーバー上に開設されたＷｅｂ Ｐｈｏｔｏ サイトにインターネットを介してアクセスして該画像形成プログラムを操作できるようになっている。
【００１５】
まず、ユーザーは任意のＷｅｂブラウザによりＷｅｂ Ｐｈｏｔｏ サイトにアクセスする（ステップ＃１１）。これにより、画像形成プログラムが起動され、ステップ＃１２で、図７に示すようなログイン画面１０が表示画面に表示される。
【００１６】
ユーザーが既にユーザーＩＤを取得している場合は、ユーザーはユーザーＩＤ及びパスワードをそれぞれテキストボックス１１、１２に入力した後、ＧＯボタン１３を選択すると、ログインすることができる（ステップ＃１３）。これにより、ステップ＃１５に移行して図２に示す「フォルダー選択」処理が呼出される。尚、終了ボタン１５を選択すると、画像形成プログラムが終了する。
【００１７】
ユーザーがユーザーＩＤをまだ取得していない場合は、ユーザー登録ボタン１４を選択するとステップ＃１４に移行し、図８に示すユーザー登録画面２０が表示画面に表示される。ユーザーは、姓、名、メールアドレスをそれぞれテキストボックス２１、２２、２３に入力する。
【００１８】
また、所望のユーザーＩＤ及びパスワードをそれぞれテキストボックス２４、２５に入力した後、テキストボックス２６に再度パスワードを入力してパスワードの確認を行う。その後、ユーザー登録ボタン２７を選択するとログインすることができ、ステップ＃１５に移行して図２の「フォルダー選択」処理が呼出される。尚、終了ボタン２８を選択すると、画像形成プログラムが終了する。
【００１９】
「フォルダー選択」処理では、図９に示すようなフォルダー選択画面３０が表示される。フォルダー選択画面３０内には、リストボックス３２が設けられる。リストボックス３２には画像ファイルが保存されたフォルダー名の一覧が表示され、ユーザーはスクロールバー３１によりスクロールしてフォルダーを閲覧することができる。
【００２０】
図２において、ステップ＃１６ではイベントが発生したか否かが監視され、イベントが発生すると各イベントに対応した処理が行われるようになっている。ユーザーはスクロールバー３１によりスクロールして所望のフォルダーを選択状態にする。
【００２１】
そして、選択ボタン３３を選択するとステップ＃１７に移行し、図３に示す「画像一覧」処理が呼出される。戻るボタン３４を選択すると、ステップ＃１８に移行して図７のログイン画面１０に戻る。終了ボタン３５を選択すると、画像形成プログラムを終了することができる。
【００２２】
「画像一覧」処理では、図１０に示すような画像一覧画面４０が表示され、選択されたフォルダー内の画像ファイルが一覧表示される。画像一覧画面４０内には、リストボックス４１が設けられる。リストボックス４１には、インターネットサーバー上のデータベースに保存された画像ファイルの画像が縮小表示され、ユーザーはスクロールバー４４の操作によりスクロールして画像を閲覧することができる。
【００２３】
図３において、ステップ＃２１ではイベントが発生したか否かが監視され、イベントが発生すると各イベントに対応した処理が行われる。アップロードボタン４８を選択すると、ステップ＃２２に移行して図１１に示すファイル指定画面６０が表示される。ファイル指定画面６０は画像ファイルの指定ができるようになる。
【００２４】
ファイル指定画面６０には、インターネットのサーバー上にアップロードする画像ファイルのファイル名を入力する複数のテキストボックス６１が設けられる。ユーザーはローカルフォルダに保存された画像ファイルのファイル名をテキストボックス６１に入力する。また、参照ボタン６２の操作によりローカルフォルダ内から画像ファイルを検索してテキストボックス６１にファイル名を入力できるようになっている。
【００２５】
ファイル名の入力後に実行ボタン６４を選択すると、ステップ＃２３で指定ファイルがアップロードされ、Ｗｅｂ Ｐｈｏｔｏ サイト上に画像ファイルが追加される。そして、ステップ＃２１に戻って図１０の画像一覧画面４０が表示される。また、ステップ＃２２、＃２３で戻るボタン６３を選択するとアップロードが行われずにステップ＃２１に戻って画像一覧画面４０が表示される。また、終了ボタン６５を選択すると画像形成プログラムが終了する。
【００２６】
画像一覧画面４０のイベント監視状態（ステップ＃２１）から削除ボタン４９が選択されると、ステップ＃２４に移行して画像ファイルの削除が行われる。リストボックス４１に表示された各画像５２にはファイル名５２ａ及びチェックボックス５２ｂが付記される。チェックボックス５２ｂに予めチェックされた画像ファイルが削除ボタン４９の選択によりＷｅｂ Ｐｈｏｔｏ サイト上から削除される。
【００２７】
画像一覧画面４０のイベント監視状態（ステップ＃２１）からソート順のコンボボックス４３を操作すると、ステップ＃２５に移行する。ステップ＃２５では、コンボボックス４３により指定した並び替えの優先順位が取得される。ステップ＃２６では、リストボックス４１内の画像が指定した優先順位で並び替えて表示される。
【００２８】
コンボボックス４３には、「コメント数順」、「閲覧回数順」、「閲覧時間順」、「日付順」等の優先順位を設定可能になっている。Ｗｅｂ Ｐｈｏｔｏ サイトはインターネットのサーバー上に設けられるため、誰でもアクセスして同じ画像ファイルを閲覧することができる。そして、各ユーザーが表示された画像についてのコメントをサーバーに送信することによってコメントのデータベースがＷｅｂ Ｐｈｏｔｏ サイトの掲示板上に公開されるようになっている。
【００２９】
「コメント数順」は、夫々の画像５２及び画像５２に含まれる指定領域７３ａ（図１２参照）内の画像に対するコメント数の多い順に画像５２を並び替える。「閲覧回数順」は、後述するコメント掲示板画面７０（図１２参照）で画像及びコメントが閲覧された回数の多い順に画像を並び替える。閲覧された回数は、画像５２のマウスポインタによるクリック（ステップ＃３５）等の回数により把握できる。「閲覧時間順」は、コメント掲示板画面７０での画像及びコメントの表示時間が多い順に画像を並び替える。「日付順」は、アップロードされた日付の新しい順に画像を並び替える
【００３０】
画像一覧画面４０のイベント監視状態（ステップ＃２１）から表示ボタン４３を選択すると、ステップ＃２７に移行する。ステップ＃２７では、一画面の画像表示枚数がコンボボックス４２により指定した枚数に変更される。
【００３１】
画像一覧画面４０のイベント監視状態（ステップ＃２１）からスピンボタン５４を操作すると、ステップ＃２８に移行する。スピンボタン５４は所望の数値を選択可能になっており、リストボックス４１に所定の優先順位で並び替えて表示される画像を先頭からいくつまで選択するかを指示することができる。
【００３２】
ステップ＃２８では、スピンボタン５４で指定された数値が取得され、先頭から取得された数値までの各画像５２に設けられたチェックボックス５２ｂがＯＮになる。ステップ＃２９では、チェックボックス５２ｂがＯＮの画像５２が選択対象としてリストに追加される。
【００３３】
選択対象の追加には各画像５２のチェックボックス５２ｂをクリックしてもよい。チェックボックス５２ｂがクリックされると、ステップ＃３０でチェックボックス５２ｂがＯＮかＯＦＦかが判断される。チェックボックス５２ｂがＯＮの場合は、ステップ＃２９に移行してその画像５２が選択対象のリストに追加される。
【００３４】
チェックボックス５２ｂがＯＦＦの場合は、ステップ＃３２に移行してその画像５２が選択対象のリストから削除される。また、選択解除ボタン５５を操作すると、ステップ＃３１で全ての画像５２のチェックボックス５２ｂがＯＦＦになり、ステップ＃３２で全ての画像５２が選択対象のリストから削除される。
【００３５】
画像一覧画面４０のイベント監視状態（ステップ＃２１）から前ページボタン４６または次ページボタン４７を選択すると、それぞれステップ＃３３、＃３４に移行して、前ページまたは次ページの画面が表示される。また、戻るボタン５０を選択すると、前述の図２の「フォルダー選択」処理が呼出される。
【００３６】
画像一覧画面４０のイベント監視状態（ステップ＃２１）からリストボックス４１内の画像５２をクリックやダブルクリック等により指示すると、ステップ＃３５に移行して図４の「コメント掲示板」処理が呼出される。
【００３７】
「コメント掲示板」処理では、図１２に示すようなコメント掲示板画面７０が表示され、コメントの閲覧及び送信ができるようになっている。コメント掲示板画面７０には、指示された画像ファイルの全体画像７３、コメントを入力するテキストボックス７１、掲示板に公開されたコメントの一覧を表示するリストボックス７２が表示される。ユーザーはリストボックス７２のスクロールバー７２ａの操作によりスクロールしてコメントを閲覧することができる。
【００３８】
図４において、ステップ＃４１ではイベントが発生したか否かが監視され、イベントが発生すると各イベントに対応した処理が行われる。全体画像７３の一部分をマウス等のポインティングデバイスによってドラッグすると、ステップ＃４２に移行して、既に指定領域７３ａが表示されている場合にはそれを消去するとともに指定した範囲が指定領域７３ａとして全体画像７３内に表示される。そして、ステップ＃４１に戻ってイベント監視状態になる。
【００３９】
これにより、所望の指定領域７３ａ毎にコメントを関連付けられるようになっている。尚、本実施形態の領域指定の方法はマウス等のドラッグにより矩形領域の２頂点を指定するようになっている。多角形の各頂点を順次クリックすること等の他の方法により領域指定してもよい。
【００４０】
イベント監視状態（ステップ＃４１）から追加ボタン７４を選択すると、ステップ＃４３に移行する。ステップ＃４３では、表示された指定領域７３ａの範囲が取得され、ステップ＃４４でテキストボックス７１内のテキスト（文字データ）から成るコメントが取得される。
【００４１】
そして、ステップ＃４５で指定領域７３ａ及びコメントが画像データに含まれてサーバーに保存され、該指定領域７３ａに関連するコメントとして掲示板に追加される。その後、ステップ＃４１に戻ってイベント監視状態になる。尚、指定領域７３ａが表示されていない場合は全体画像７３に対するコメントとして掲示板に追加される。
【００４２】
イベント監視状態（ステップ＃４１）からリストボックス７２内のコメントをマウスのクリック等により指示すると、ステップ＃４６に移行する。ステップ＃４６では指示されたコメントに対応する指定領域７３ａを表示し、ステップ＃４１に戻ってイベント監視状態になる。この操作後に上記の追加ボタン７４を選択すると、表示された指定領域７３ａに関連するコメントとして処理される。尚、コメントが全体画像７３に対するものである場合には指定領域７３ａが表示されない。
【００４３】
また、リストボックス７２内の各コメントの先頭にはチェックボックス７２ｂが設けられている。チェックボックス７２ｂをチェックした後に上記の追加ボタン７４の選択操作を行うと、チェックされたコメントに対する返答として掲示板に公開される。
【００４４】
イベント監視状態（ステップ＃４１）からクリアボタン７５を選択すると、ステップ＃４７に移行してテキストボックス７１内の入力データが消去される。削除ボタン７６を選択すると、ステップ＃４８に移行してチェックボックス７２ｂにチェックされたユーザー本人のコメントを掲示板上から削除する。その後、ステップ＃４１に戻ってイベント監視状態になる。
【００４５】
イベント監視状態（ステップ＃４１）から戻るボタン７８を選択すると前述の図３に示す「画像一覧」処理が呼出され、終了ボタン７９を選択すると画像形成プログラムが終了する。
【００４６】
図３において、イベント監視状態（ステップ＃２１）から印刷ボタン４９（図１０参照）を選択すると図５に示す「印刷コメント選択」処理が呼出される。尚、戻るボタン５０を選択すると前述の図２のフォルダー選択処理が呼出され、終了ボタン５１を選択すると画像形成プログラムが終了する。
【００４７】
「印刷コメント選択」処理では図１３に示す印刷コメント選択画面８０が表示される。印刷コメント選択画面８０には、コメント９２及び画像５２を夫々一覧表示するリストボックス８１、８２が設けられる。コメント９２は、一のコメントに対する他のコメントを一のコメントの下層に配する階層構造に格納されており、リストボックス８１には階層構造のコメント９２がツリー表示される。
【００４８】
リストボックス８２には「画像一覧」処理（図３参照）でチェックボックス５２ｂにチェックされた画像のみ（ステップ＃２９参照）が表示されている。ユーザーはリストボックス８１、８２をスクロールバー８１ａ、８２ａの操作によりスクロールしてコメント９２や画像５２を閲覧し、印刷対象のコメントを選択することができる。
【００４９】
図５において、ステップ＃５１ではイベントが発生したか否かが監視され、イベントが発生すると各イベントに対応した処理が行われる。イベント監視状態（ステップ＃５１）からソート順のコンボボックス８３を操作すると、ステップ＃５２に移行する。ステップ＃５２では、コンボボックス８３により指定した並び替えの優先順位が取得される。ステップ＃５３では、リストボックス８１内のコメント９２が指定した優先順位で並び替えて表示される。
【００５０】
コンボボックス８３には、「閲覧回数順」、「閲覧時間順」、「日付順」等の優先順位を設定可能になっている。「閲覧回数順」は、コメント掲示板画面７０（図１２参照）で閲覧された回数の多い順にコメント９２を並び替える。閲覧された回数は、コメント上でマウスカーソルが配された回数等により把握することができる。
【００５１】
「閲覧時間順」は、コメント掲示板画面７０での表示時間が多い順にコメント９２を並び替える。コメントの閲覧時間は、コメント上でマウスカーソルが配された累積時間等により把握することができる。「日付順」は、画像５２に付加された日付の新しい順にコメント９２を並び替える
【００５２】
印刷コメント選択画面８０のイベント監視状態（ステップ＃５１）からスピンボタン８４を操作すると、ステップ＃５４に移行する。スピンボタン８４は所望の数値を選択可能になっており、リストボックス８１に所定の優先順位で並び替えて表示されるコメント９２を先頭からいくつまで選択するかを指示することができる。
【００５３】
ステップ＃５４では、スピンボタン８４で指定された数値が取得され、先頭から取得された数値までの各コメント９２に設けられたチェックボックス９２ｔがＯＮになる。ステップ＃５５では、チェックボックス９２ｔがＯＮのコメント９２が印刷対象としてリストに追加される。
【００５４】
この時、リストボックス８１の下方に設けられたページ数表示部８４ａに印刷される総ページ数が表示される。ユーザーは総ページ数により判断して選択するコメント数を可変してもよい。
【００５５】
印刷対象追加には各コメント９２のチェックボックス９２ｔをクリックしてもよい。チェックボックス９２ｔがクリックされると、ステップ＃５６でチェックボックス９２ｔがＯＮかＯＦＦかが判断される。チェックボックス９２ｔがＯＮの場合は、ステップ＃５５に移行してそのコメント９２が印刷対象のリストに追加される。
【００５６】
チェックボックス９２ｔがＯＦＦの場合は、ステップ＃５８に移行してそのコメント９２が印刷対象のリストから削除される。また、選択解除ボタン８５を操作すると、ステップ＃５７で全てのコメント９２のチェックボックス９２ｔがＯＦＦになり、ステップ＃５８で全てのコメント９２が印刷対象のリストから削除される。
【００５７】
イベント監視状態（ステップ＃５１）から選択モードのコンボボックス８７を操作するとステップ＃５９に移行する。ステップ＃５９ではコンボボックス８７により指定したコメントの選択単位が取得される。ステップ＃６０では、リストボックス８１内のコメント９２が指定した選択単位で再表示される。
【００５８】
コンボボックス８７には、「スレッドごと」、「コメントごと」等の選択単位を設定可能になっている。「スレッドごと」は、ツリー表示された一のコメントに対するコメントや更にそのコメントに対するコメント等を同時に選択することができる。「コメントごと」は、各コメント毎に選択することができる。
【００５９】
イベント監視状態（ステップ＃５１）から画像５２をマウスのクリック等により選択すると、ステップ＃６１に移行する。ステップ＃６１では選択された画像５２の枠が強調表示される。ステップ＃６２では選択された画像５２及び指定領域内の画像に関連付けられたコメント９２がリストボックス８１に表示される。
【００６０】
リストボックス８１の下方には戻るボタン８６及び印刷プレビューボタン８７が配されている。イベント監視状態（ステップ＃５１）から戻るボタン８６を選択するとステップ＃６２で前述の図３に示す「画像一覧」処理が呼出される。終了ボタン８９を選択すると画像形成プログラムが終了する。また、印刷プレビューボタン８８が選択されると、図６に示す「プレビュー表示」処理が呼出される。
【００６１】
「プレビュー表示」処理では図１４に示す印刷プレビュー画面９０が表示される。印刷プレビュー画面９０は印刷媒体に印刷されるイメージ通りのレイアウトを表示する。印刷プレビュー画面９０では上部に画像ファイルの全体画像９１が表示される。全体画像９１は、「画像一覧」処理で選択された（図３：ステップ＃２９参照）画像から成っている。
【００６２】
全体画像９１内には指定領域９１ａ〜９１ｅ（図１２の７３ａに対応する。）が表示される。指定領域９１ａ〜９１ｅはそれぞれ枠線が異なる色で表示される。例えば、黒、青、赤、緑、黄、ピンク、紫の色が使用可能になっており、指定領域９１ａ〜９１ｅにこれらの色が順に割り当てられる。
【００６３】
全体画像９１の下方には「印刷コメント選択」処理で選択されたコメント９２ａ〜９２ｅ（図５：ステップ＃５５参照）が表示される。各指定領域９１ａ〜９１ｆに対応するコメント９２ａ〜９２ｅは各指定領域９１ａ〜９１ｅの枠線と同じ色で表示される。例えば、指定領域９１ａに対応するコメント９２ａは黒で表示される。
【００６４】
同様に、コメント９２ｂ〜９２ｅがそれぞれ青、赤、緑、黄で表示される。これにより、指定領域とコメントとの対応関係をユーザーが容易に把握することができ、Ｗｅｂ Ｐｈｏｔｏ サイトの使用勝手を向上することができる。
【００６５】
また、指定領域の枠線に重なった全体画像の各画素が枠線と同様の色である場合は指定領域の識別が困難になる。このため、各画素の平均色相と枠線の平均色相との差が所定値以下の場合には次の使用可能色を割り当てるようになっている。
【００６６】
尚、指定領域の数が使用可能色の数よりも多い場合は複数のページに振り分けてもよい。例えば使用可能色が７色で、指定領域が８箇所以上の場合は、第１ページに７箇所の指定領域を表示して、第２ページに残りの１箇所以上の指定領域を表示することによりコメントとの対応の誤認を防止できる。
【００６７】
図６において、ステップ＃７１ではイベントが発生したか否かが監視され、イベントが発生すると各イベントに対応した処理が行われる。前ページボタン９３及び次ページボタン９４が選択されると、それぞれステップ＃７２、＃７３で前ページまたは次ページの印刷イメージが表示される。そして、イベント監視状態に戻る。
【００６８】
イベント監視状態（ステップ＃７１）から印刷実行ボタン９５が選択されると、ステップ＃７４に移行して印刷プレビュー画面９０と同じイメージで印刷が行われる。印刷が終了すると、ステップ＃７５で前述の図３に示す「画像一覧」処理が呼出される。また、戻るボタン９６が選択されると前述の図５に示す「印刷コメント選択」処理が呼出され、終了ボタン９７が選択されると画像形成プログラムが終了する。
【００６９】
本実施形態によると、印刷プレビュー画面で表示される出力画像や印刷プレビュー画面から印刷される出力画像は、全体画像及びコメントが所定の閲覧回数や閲覧時間等の抽出条件により抽出されている。このため、不要な全体画像やコメントの出力を防止して重要なコメントの判別を容易にするとともに不要な閲覧時間を削減することができる。また、各指定領域毎にコメントを関連付けるので、どの部分に対するコメントであるかを容易に把握することができる。
【００７０】
尚、本実施形態において、指定領域７３ａ（図１２参照）の指定や、コメントの入力等を「コメント掲示板」処理（図４参照）により行っているが、「コメント掲示板」処理を省いて指定領域及びコメントが既に書き込まれた画像データのファイルを本実施形態と同様の画像形成プログラムにより表示或いは印刷してもよい。
【００７１】
また、本実施形態では画像形成プログラムをインターネットのサーバー上に設けているが、ローカルドライブにインストールしてスタンドアロンで使用することも可能である。
【００７２】
【発明の効果】
本発明によると、指定領域を含む全体画像と対応する文字データとから成る同時に形成された出力画像に配される全体画像が、ユーザーにより選択された所定の抽出条件により抽出されるので、不要な全体画像や対応するコメントのない全体画像の出力を防止して重要なコメントの判別を容易にするとともに不要な閲覧時間を削減することができる。また、各指定領域毎にコメントを関連付けるので、どの部分に対するコメントであるかを容易に把握することができる。
【００７３】
また本発明によると、全体画像の抽出条件を文字データの閲覧回数、文字データの閲覧時間の累計、文字データの総数、或いは全体画像を保存した日付により設定するので容易に所望の全体画像を抽出することができる。
【００７４】
また本発明によると、同時に形成された出力画像に配される文字データが、ユーザーにより選択された所定の抽出条件により抽出されるので、不要なコメントの出力を防止して重要なコメントの判別を容易にするとともに不要な閲覧時間を削減することができる。
【００７５】
また本発明によると、文字データの抽出条件を文字データの閲覧回数、文字データの閲覧時間の累計、或いは文字データを付加した日付により設定するので容易に所望の文字データを抽出することができる。
【図面の簡単な説明】
【図１】は、本発明の実施形態の画像形成プログラムを示すフローチャートである。
【図２】は、本発明の実施形態の画像形成プログラムのフォルダー選択処理を示すフローチャートである。
【図３】は、本発明の実施形態の画像形成プログラムの画像一覧処理を示すフローチャートである。
【図４】は、本発明の実施形態の画像形成プログラムのコメント掲示板処理を示すフローチャートである。
【図５】は、本発明の実施形態の画像形成プログラムの印刷コメント選択処理を示すフローチャートである。
【図６】は、本発明の実施形態の画像形成プログラムのプレビュー表示処理を示すフローチャートである。
【図７】は、本発明の実施形態の画像形成プログラムのログイン画面を示す図である。
【図８】は、本発明の実施形態の画像形成プログラムのユーザー登録画面を示す図である。
【図９】は、本発明の実施形態の画像形成プログラムのフォルダー選択画面を示す図である。
【図１０】は、本発明の実施形態の画像形成プログラムの画像一覧画面を示す図である。
【図１１】は、本発明の実施形態の画像形成プログラムのファイル指定画面を示す図である。
【図１２】は、本発明の実施形態の画像形成プログラムのコメント掲示板画面を示す図である。
【図１３】は、本発明の実施形態の画像形成プログラムの印刷コメント選択画面を示す図である。
【図１４】は、本発明の実施形態の画像形成プログラムのプレビュー表示画面を示す図である。
【符号の説明】
１０    ログイン画面
２０    ユーザー登録画面
３０    フォルダー選択画面
４０    画像一覧画面
６０    ファイル選択画面
７０    コメント掲示板画面
７３、９１  全体画像
７３ａ、９１ａ〜９１ｅ  指定領域
８０    印刷コメント選択画面
９０    印刷プレビュー画面
９２ａ〜９２ｅ  コメント
【図１】
0003689790.tif 000002
【図２】
0003689790.tif 000003
【図３】
0003689790.tif 000004
【図４】
0003689790.tif 000005
【図５】
0003689790.tif 000006
【図６】
0003689790.tif 000007
【図７】
0003689790.tif 000008
【図８】
0003689790.tif 000009
【図９】
0003689790.tif 000010
【図１０】
0003689790.tif 000011
【図１１】
0003689790.tif 000012
【図１２】
0003689790.tif 000013
【図１３】
0003689790.tif 000014
【図１４】
0003689790.tif 000015